(57)【特許請求の範囲】
【請求項１】
左右側面、前面及び後面を連設した周壁で構成された上方および下方が開放されている魚外し具本体と、平板形状を有する釣り針から魚を外す魚外し板の基端とを、前記後面の上端近傍に回動可能に設けた魚外し具であって、前面上端縁は正面視横方向に直線又は正面視Ｖ字形に形成し、且つ該前面は側面視平面又は縦外方向に凸状に湾曲した曲面に形成し、魚の掛かった釣り針を前記前面の前面上端縁に掛止することにより、針掛かりした魚を前記前面の前面内壁に吊り下げ、前記魚外し板を押下することにより該魚外し板は基端を中心に回動し、該基端と反対側の魚外し板前端縁が前記前面内壁に近接して、該前面内壁に吊り下げられた魚を上方から押し下げて針から外すことを特徴とする釣り針からの魚外し具。
【請求項２】
請求項１記載の釣り針からの魚外し具において，左右側面、前面及び後面を連設した周壁で構成された上方および下方が開放されている魚外し具本体に代えて，左右側面，前面及び後面を連接した周壁で構成すると共に左右側面の下端縁と前面下端縁と後面下端縁の高さを同一に揃え，左右側面の下端縁と前面下端縁と後面下端縁に沿って魚外し具底面を設けた、上方が開放された有底の容器形状である魚外し具本体を備えた釣り針からの魚外し具。
【請求項３】
前面上端縁の上方を，該前面上端縁に沿って平行に配置されるように、魚の掛かった釣り針を掛止する針掛け棒の基端を、前記魚外し具本体に回動可能に設けたことを特徴とする請求項１又は請求項２記載の釣り針からの魚外し具。
【請求項４】
前記魚外し板前端縁の左右ほぼ中央に凹部を設けたことを特徴とする請求項１乃至請求項３のいずれかに記載の釣り針からの魚外し具。
【発明の詳細な説明】
【技術分野】
【０００１】
本発明は、魚釣りにおいて釣れた魚に手を触れずに、迅速に釣り針から魚を外す、釣り針からの魚外し具に関するものである。
【背景技術】
【０００２】
従来からの方法として、釣れた魚を釣り針より外す場合、一方の手で魚をつかみ、他方の手に持っている釣竿を置き、その手で針を外し、魚をクーラーボックス、バケツ等の入れ物に入れていた。
他の従来からの方法としては、船のイケスの上方に、テグスまたは針金を横方向に渡して、固定し、魚の掛かった針をそのテグスまたは針金に掛け、ハリスを前下方に押して針先を下方に向け、魚の重みで魚が外れるのを待つ、また外れない場合は手で魚の口を押して外す。
【０００３】
また、関連する出願として特許文献１にみられるような、容器の縁に沿って線条を張り巡らし、その線条に針を掛け、ハリスを前下方に押し出して魚を外す魚取り込み容器が提案されている。
【０００４】
他の出願としては、特許文献２にみられるような、引っ掛け部材をバケツに水平に設け、この引っ掛け部材に釣り糸を掛け、この釣り糸を魚外し治具で挟み、釣り針を魚外し治具まで導いて魚外し治具を複数回握ることで魚を外すという針外し装置が提案されている。
【先行技術文献】
【特許文献】
【０００５】
【特許文献１】特開２００３−１６９５８２号公報
【特許文献２】特開２００４−２２２７１８号公報
【発明の概要】
【発明が解決しようとする課題】
【０００６】
しかしながら、上記従来の前者の方法のように、魚釣りで魚から針を外すには、一方の手で一尾ずつ魚を掴んで他方の手で針を外すことから、手に魚の匂いが付き女性から魚釣りは敬遠され気味である。また魚のヒレ及び釣り針で怪我をすることもあり、特に年配者は老眼であることが多く、特に針が多数付いているサビキ釣において、小さな釣り針などを使用するとき、注意が必要で、慎重に一尾ずつ外し、イケスやクーラーボックスまたはバケツ等の入れ物の中に魚を入れるため手間がかかっていた。
また、冬の寒いときには手がかじかんでなかなか魚が掴めないときがあった。
【０００７】
一方、上記従来の後者の方法においては、魚が外れるのを待つために時間がかかり、魚が外れない場合は手で魚の口を押して外すときがあった。また、テグスまたは針金に掛けた釣り針が外れにくい場合があった。さらに、イケスは船に乗らなければ利用することができず、実際には漁師が利用できるぐらいであった。
【０００８】
特許文献１に開示されている魚取り込み容器は、魚が暴れる力を利用するという向こう任せの方法なので時間がかかり、外れない場合は手で外すことになる。また、線条に掛けた針が外れにくいときがある。さらに、装置が大きくなる。
【０００９】
特許文献２の針外し装置は、引っ掛け部材を取り付けるバケツ等の容器が必要であり装置が大きい。また、一方の手で引っ掛け部材に掛けた釣り糸を持ち、他方の手に持った魚外し治具の凹部に釣り糸を挟み込み、釣り糸を引いて魚外し治具まで釣り針を導いて、魚外し治具を複数回握ることで魚を外すので時間と手間がかかる。さらに、引っ掛け部材と魚外し治具は一体ではなく別々の部材であり紛失する可能性がある。
【００１０】
したがって本発明は、上記問題を解決するために、魚に手を触れずに、針掛かりした全ての魚を、順に素早く強制的に針から外すことで魚の匂いが手に付かないと共に、怪我と手間から解放する釣り針からの魚外し具を提供することを目的とした。
【課題を解決するための手段】
【００１１】
請求項１記載の釣り針からの魚外し具は，左右側面、前面及び後面を連設した周壁で構成された上方および下方が開放されている魚外し具本体と、平板形状を有する釣り針から魚を外す魚外し板の基端とを、前記後面の上端近傍に回動可能に設けた魚外し具であって、前面上端縁は正面視横方向に直線又は正面視Ｖ字形に形成し、且つ該前面は側面視平面又は縦外方向に凸状に湾曲した曲面に形成し、魚の掛かった釣り針を前記前面の前面上端縁に掛止することにより、針掛かりした魚を前記前面の前面内壁に吊り下げ、前記魚外し板を押下することにより該魚外し板は基端を中心に回動し、該基端と反対側の魚外し板前端縁が前記前面内壁に近接して、該前面内壁に吊り下げられた魚を上方から押し下げて針から外すことを特徴とする釣り針からの魚外し具を提供する。
【００１２】
請求項２記載の釣り針からの魚外し具は、請求項１記載の釣り針からの魚外し具において，左右側面、前面及び後面を連設した周壁で構成された上方および下方が開放されている魚外し具本体に代えて，左右側面，前面及び後面を連接した周壁で構成すると共に左右側面の下端縁と前面下端縁と後面下端縁の高さを同一に揃え，左右側面の下端縁と前面下端縁と後面下端縁に沿って魚外し具底面を設けた上方が開放された有底の容器形状である魚外し具本体を備えた釣り針からの魚外し具を提供する。
【００１３】
請求項３記載の釣り針からの魚外し具は、前面上端縁の上方を，該前面上端縁に沿って平行に配置されるように、魚の掛かった釣り針を掛止する針掛け棒の基端を、前記魚外し具本体に回動可能に設けたことを特徴とする請求項１又は請求項２記載の釣り針からの魚外し具を提供する。
【００１４】
請求項４記載の釣り針からの魚外し具は、前記魚外し板前端縁の左右ほぼ中央に凹部を設けたことを特徴とする請求項１乃至請求項３のいずれかに記載の釣り針からの魚外し具を提供する。
【発明の効果】
【００１８】
本発明は、以下に記載されるような効果を奏する。
請求項１記載の本発明の釣り針からの魚外し具によれば、左右側面、前面及び後面を連設した周壁で構成された上方および下方が開放されている魚外し具本体と、平板形状である釣り針から魚を外す魚外し板の基端とを、前記後面上端近傍に、回動可能に設けられた魚外し具である。前面上端縁は正面視横方向に直線又は正面視Ｖ字形に形成し、且つ該前面は側面視平面又は縦外方向に凸状に湾曲した曲面を有している。魚の掛かった釣り針を前記前面の前面上端縁に掛止し、針掛かりした魚を前記前面の前面内壁に吊り下げ、前記魚外し板を押下することにより該魚外し板は基端を中心に回動し、該基端と反対側の魚外し板前端縁が前記前面内壁に近接して、前記前面内壁に吊り下げられた魚を上方から押し下げて釣り針より瞬時に掻き落とす。したがって手間がかからないという効果がある。また、Ｖ字形前面上端縁にすることにより、魚の掛かった釣り針がＶ字形前面上端縁の底部に掛かり、釣り針が左右に摺動せずに安定した針外しができる効果がある。
【００１９】
また、イケスやクーラーボックスまたはバケツ等の容器の真上で魚外し具を使用すれば針から外れた魚はこれら容器の中に落ち、釣り針および魚に手を触れることがないので、釣り針および魚のヒレによる怪我が防げ、魚の臭いが手に付かず、また女性や子供や年配者でも簡単に使用できるという効果がある。
【００２０】
請求項２記載の本発明の釣り針からの魚外し具によれば、請求項１記載の釣り針からの魚外し具において，左右側面、前面及び後面を連設した周壁で構成された上方および下方が開放されている魚外し具本体に代えて，左右側面，前面及び後面を連接した周壁で構成すると共に左右側面の下端縁と前面下端縁と後面下端縁の高さを同一に揃え，左右側面の下端縁と前面下端縁と後面下端縁に沿って魚外し具底面を設けた上方が開放された有底の容器形状としてある。魚外し具本体を有底の容器形状にしたことにより、針掛りした魚を外したあと、前記魚外し具本体の中に魚を収容しておけるので移動しながらでも使用でき、使用範囲の制限がなくなるという効果がある。また魚外し具本体に収容しておいた魚を、まとめてイケスやクーラーボックスまたはバケツ等の入れ物に投入することができるので、一尾ずつ入れ物に入れる手間が省けるという効果がある。
【００２１】
請求項３記載の本発明の釣り針からの魚外し具によれば、前面上端縁の上方を，該前面上端縁に沿って平行に配置されるように、魚の掛かった釣り針を掛止する針掛け棒の基端を、前記魚外し具本体に回動可能に設けてある。針掛け棒を設けたことにより釣り針が該針掛け棒に容易に掛止されるため、魚の掛かった釣り針が前記魚外し具本体からすり抜けることを防止できるので連続動作を素早くできる効果がある。また、前記針掛け棒に釣り針が掛止されることにより、前記前面内壁に釣り針の先端が突き当たることがなく、針先の先端の損傷が防げる効果がある。さらに、前記針掛け棒を回動可能に設けたことにより、該針掛け棒に掛けた釣り針が容易に外せ、手返しが早くなる効果がある。またＶ字形針掛け棒にすることにより、魚の掛かった釣り針が該Ｖ字形針掛け棒の底部に掛かり、釣り針が左右に摺動せずに安定した針外しができる効果がある。
【００２２】
請求項４記載の本発明の釣り針からの魚外し具によれば、釣餌が針に残るので釣り餌を再利用することができれば餌の節約ができる。
【００２４】
なお、前記魚外し板は前記魚外し板前端縁のほぼ中央に魚外し板凹部を設け、該魚外し板凹部を頂点として前記魚外し板前端縁上方を山形に曲成したときは、前記魚外し板凹部と魚外し板前端縁上方の山形に釣り糸を誘導することにより針掛りした魚を魚外し具本体の内部に入れ易くする効果がある。
【図面の簡単な説明】
【００２５】
【図１】図１は本発明の魚外し具の一例を示す斜視図である。（実施例１）
【図２】図２は本発明の魚外し具本体に設けた魚外し板を指で押し下げた状態の平面図である。（実施例１）
【図３】図３は本発明の魚外し具の側面図である。（実施例１）
【図４】図４は本発明の魚外し具の正面一部断面図である。（実施例１）
【図５】図５は本発明の水平状態にある魚外し板の一例を示す斜視図であり、（ａ）は平板形状の魚外し板、（ｂ）は魚外し板前端縁中央の凹部を頂点として前端縁上方を山形に曲成した魚外し板である。（実施例１）
【図６】図６は本発明の魚外し具の背面図である。（実施例１）
【図７】図７は本発明の魚外し具本体に設けた魚外し板を指で押し下げた状態の斜視図である。（実施例１）
【図８】図８は本発明の魚外し具本体の各種前面の正面図であり、（ａ）は正面視横に長い長方形に形成した前面の正面図、（ｂ）は正面視Ｖ字形の前面上端縁に形成したＶ字形前面上端縁の前面の正面図、（ｃ）は正面視連続Ｖ字形前面上端縁の前面の正面図、（ｄ）は正面視連続Ｕ字形前面上端縁の前面の正面図である。（実施例１）
【図９】図９は本発明の魚外し具本体に設けた魚外し板と魚外し具後面とが９０度の角度である側面一部断面図である。（実施例１）
【図１０】図１０は本発明魚外し具の一例である魚外し板前端縁中央の凹部を頂点として魚外し板前端縁上方を山形に曲成した魚外し板を設けた魚外し具本体の前面上端縁を正面視Ｖ字形にした魚外し具の斜視図である。（実施例１）
【図１１】図１１は本発明の一例である魚外し具本体の前面を平面視Ｖ字形にした水平Ｖ字形前面と水平Ｖ字形前面上端縁の平面図である。（実施例１）
【図１２】図１２は本発明の一例である魚外し具本体の前面を平面にした平面上端縁と魚外し板前端縁との位置関係を示した魚外し具の側面一部断面図である。（実施例１）
【図１３】図１３は本発明の魚外し具本体の外側面に滑り止めを設けた斜視図である。（実施例１）
【図１４】図１４は本発明の魚外し具本体に取っ手を設けた側面図である。（実施例１）
【図１５】図１５は本発明の使用方法を示した斜視図である。（実施例１）
【図１６】図１６は本発明の使用方法を示した側面図で、（ａ）は針掛かりした魚を魚外し具本体１内に入れた側面一部断面図、（ｂ）は魚の掛かった釣り針を前面上端縁まで引き上げられたことを示す側面一部断面図、（ｃ）は魚の掛かった釣り針が前面上端縁に係止され、魚外し板が押し下げられていることを示す側面一部断面図、（ｄ）は魚外し板を押し下げたことにより魚が外れたところを示す側面一部断面図。（実施例１）
【図１７】図１７は本発明の使用方法を示した、魚外し具本体の前面上端縁に釣り針が掛止されたときの斜視図である。（実施例１）
【図１８】図１８は本発明の使用方法を示した、魚外し板を押し下げて魚を釣り針より外したときの斜視図である。（実施例１）
【図１９】図１９は本発明の一例である魚外し具の使用方法を示した斜視図である。（実施例１）
【図２０】図２０は本発明の一例である魚外し具の使用方法を示した斜視図である。（実施例１）
【図２１】図２１は本発明の魚外し具本体に針掛け棒を設けた、魚外し具の斜視図である。（実施例２）
【図２２】図２２は本発明の針掛け棒と支持片の図で、（ａ）は直線である針掛け棒と支持片の斜視図、（ｂ）は正面視Ｖ字形の針掛け棒と支持片の正面図（実施例２）
【図２３】図２３は本発明の前面上端縁と針掛け棒の位置関係を示した側面一部断面図である。（実施例２）
【図２４】図２４は本発明の魚外し具の一例を示した斜視図である。（実施例２）
【図２５】図２５は本発明の魚外し具の一例を示した斜視図である。（実施例２）
【図２６】図２６は本発明の魚外し具の針掛け棒にスプリングを設けた斜視図である。（実施例２）
【図２７】図２７は本発明の使用方法を示した側面図で、（ａ）は針掛かりした魚を魚外し具本体１内に入れた側面一部断面図、（ｂ）は魚の掛かった釣り針を針掛け棒まで引き上げられたことを示す側面一部断面図、（ｃ）は魚の掛かった釣り針が針掛け棒に係止され、魚外し板が押し下げられていることを示す側面一部断面図、（ｄ）は魚外し板を押し下げたことにより魚が外れところを示す側面一部断面図。（実施例２）
【図２８】図２８は本発明の使用方法を示した、針掛け棒に釣り針が掛止されたときの斜視図である。（実施例２）
【図２９】図２９は本発明の使用方法を示した、針掛け棒から釣り針を外すときの斜視図である。（実施例２）
【図３０】図３０は本発明の容器形状である魚外し具の一例を示す斜視図である。（実施例３）
【図３１】図３１は本発明の容器形状である魚外し具の一例を示す斜視図である。（実施例３）
【図３２】図３２は本発明の魚外し具本体の周壁内壁に筋面を設けた部分図である。（実施例３）
【発明を実施するための形態】
【００２６】
以下、本発明の実施の形態について図面を参照しながら説明する。
【実施例１】
【００２７】
第１の実施例は、図１の斜視図に示すように、左右側面および前後面を連設した周壁で構成された上方および下方が開放されている魚外し具本体１の後面上端近傍に釣り針から魚を外す魚外し板２の基端を回動可能に設けた構成である。
【００２８】
図１、図２に示すように、魚外し具本体１は片手で持ちやすいように、略台形に左右側面および前後面を連設した形状の周壁で構成されている。
図３，図４に示すように、魚外し具本体１の後面である魚外し具後面１ｃの魚外し具後面上端縁１ｄに近い魚外し具本体１の左右側面の後方上部内壁の所定の位置に、魚外し具軸孔１ｅを孔設してある。
【００２９】
図５（ａ）は、ほぼ水平の状態である釣り針から魚を外す魚外し板２の斜視図であり、平板形状を有する魚外し板２の魚外し板後端縁２ｄの左右両側端に魚外し板軸受け２ｅを設けてあり、その中心には魚外し板軸孔２ｆを貫通し、ここを基端としてある。
【００３０】
図４に示すように魚外し板２は、魚外し板後端縁２ｄの左右両側端の魚外し板軸受け２ｅの魚外し板軸孔２ｆに、蝶番軸４を挿通して魚外し具軸孔１ｅに回動可能に軸着されている。
【００３１】
また、蝶番軸４のほぼ中央の位置にトーションスプリング３を外装する。魚外し板２は、図３及び図４、図６に示すように、通常トーションスプリング３により開放方向に付勢され、魚外し具後面上端縁１ｄに、魚外し板後端縁２ｄが当接することにより開放回動限となってほぼ垂立している。
【００３２】
図４に示すようにトーションスプリング３の一端は、左右に摺動しないよう魚外し板２内壁の任意の位置にスプリング係止突起２ｂにより係止することが好ましい。なお、前記トーションスプリング３は、これに限らず、トーションスプリングに代えて、板バネやゴムなどの、他の弾性体を用いてもよいことは勿論である。
【００３３】
なお、魚外し板２の魚外し具本体１への取り付け構造は図示し説明したものに限られるものではなく、図にはないが、例えばヒンジを用いて魚外し具本体１と、魚外し板２とを、回動可能に取り付けることもできる。要するに、魚外し具本体１と魚外し板２とが、回動可能に取り付けられている構造であれば、いかなるものも採用できる。
【００３４】
図２、図７のように魚外し板２は指で下方に押圧することにより、蝶番軸４にて回動可能に軸着されている魚外し板２は、魚外し板後端縁２ｄの左右に設けられた魚外し板軸孔２ｆを中心として、魚外し板後端縁２ｄと反対側の魚外し板前端縁２ｃが魚外し具本体１の上方から前面１ａの内壁に所定距離離間して近接し、魚外し具本体１の内部下方に回動可能である。図２に示すように、魚外し板２は下方に押下しているとき、魚外し板前端縁２ｃは前面１ａ内壁の形状に沿ったものであり、前面１ａ内壁との間に所定距離離間して近接する。
【００３５】
また、図５（ａ）の魚外し板２は平板状の形状であるが、図５（ｂ）のように、魚外し板前端縁２ｃの左右のほぼ中央に魚外し板凹部２ａを設け、その魚外し板凹部２ａを頂点として魚外し板前端縁２ｃの上方を山形に曲成した形状とすることもできる。
また、図にはないが、魚外し板２は板状の部材に限らず、線条を形成したものであってもよい。
【００３６】
図８は魚外し具本体１の前面１ａのみの正面図であり、魚の掛かった釣り針を掛止する前面１ａは図８（ａ）に示すように正面視横方向に長い長方形である。また、図９の側面図に示すように魚外し板２の回転方向に沿って、縦外方向に凸状に湾曲した曲面に形成してある。前面１ａは魚外し板２の回転軸である蝶番軸４と同心円上にあり、魚外し板前端縁２ｃの回動半径より所定距離離間した僅かに大きい半径の曲面を設けてある。
【００３７】
図９に示すように、魚外し板２を押下して、魚外し板２と魚外し具後面１ｃとが９０度の角度となる位置、即ち魚外し板２が水平となる位置で魚外し板前端縁２ｃの延長線上に前面１ａの前面下端縁１ｋを設けてある。また、前面１ａは、前面下端縁１ｋから上方へ向かって前面上端縁まで所定の円周長の曲面を形成している。
【００３８】
なお、図１、図７、図８（ａ）に示したように、前面上端縁１ｂは、直線に形成されているが、直線に限らず、例えば図８（ｂ）、図１０に示すように、正面視Ｖ字形に形成したＶ字形前面上端縁１ｊとすることもできる。図にはないがＵ字形前面上端縁とすることもできる。また、図１１に示すように平面視Ｖ字形に形成した水平Ｖ字形前面１ｐの水平Ｖ字形前面上端縁１ｑとすることもできる。さらに、図にはないが正面視Ｖ字形の上端縁と、平面視Ｖ字形の上端縁を合成したものとすることもできる。
【００３９】
また、図８（ｃ）に示すように横方向に連続した小さいＶ字形を設けた連続Ｖ字形前面上端縁１ｌでもよいし、図８（ｄ）に示すように横方向に連続した小さいＶ字形を設けた連続Ｕ字形前面上端縁１ｍでもよい。
要するに、魚外し具本体１の前面上端縁の形状は、魚の掛かった釣り針が安定して係止できれば、どのような形状でもよい。
【００４０】
なお、前面１ａの曲面は、図１２（ａ）、（ｂ）のように平面１ｈとすることもできる。前面１ａの曲面を平面１ｈにした場合は、平面上端縁１ｉに掛止した釣り針の針先の先端が位置する高さと、回動可能に取り付けた魚外し板２を指で下方に押圧して魚外し板前端縁２ｃとがほぼ同じ高さになったとき、平面１ｈと魚外し板前端縁２ｃとが所定距離離間して、最接近するように平面１ｈと魚外し板２を設ける。なお、図１２の魚外し板２は、図５（ｂ）の魚外し板前端２ｃ上方を山形に形成した魚外し板２の側面図である。
【００４１】
当然、図８（ｂ）のＶ字形前面上端縁１ｊ，図にはないがＵ字形前面上端縁の、また図８（ｃ）、（ｄ）、のような前面でも、曲面を平面１ｈとすることができる。この場合は、平面１ｈのＶ字形またはＵ字形の底部に掛止した釣り針の針先の先端が位置する高さと、回動可能に取り付けた魚外し板２を指で下方に押圧して魚外し板前端縁２ｃとがほぼ同じ高さになったとき、平面１ｈと魚外し板前端縁２ｃとが所定距離離間して、最接近するように平面１ｈと魚外し板２を設ける。
【００４２】
また、魚外し具本体１の大きさは、魚釣の対象魚の大きさにより、必要に応じた任意の大きさとすることができる。当然、魚外し板２も魚外し具本体１の大きさに合わせたものとすることができる。さらに、魚外し具本体１に図１３のように、魚外し具本体１を持つときに滑らないように魚外し具本体１の左右側面の外方に棒状の滑り止め５を設けてもよい。図にはないが滑り止め５は棒状とは限らず他の形状例えば半円状の突起等、手で持ったとき滑りにくい構造なら如何なるものでもよい。
また、図１４のように魚外し具本体１の後方に取手１１を設けてもよい。
【００４３】
なお、魚外し具本体１の周壁の形状は、図２のような台形とは限らず四角形、長方形、多角形、楕円形、円形、Ｄ形、Ｃ形、Ｕ形、コ形、等、魚外し板２の基端が魚外し具本体１の所定の位置に回動可能に取り付けられる形状であれば、どのような形状でもよい。
【００４４】
当然、前記各形状の魚外し具本体１の魚外し板２の形状も図２に限らず、例えば、図１１のように平面視Ｖ字形の水平Ｖ字形前面１ｐにしたときは、魚外し板の前端縁も平面視Ｖ字形のＶ字形魚外し板２ｈにするなど、魚外し具本体１の前面の形状に沿ったものであればよい。
【００４５】
上記構成の魚外し具を使用するときのサビキ釣りについての使用方法を説明する。
魚が釣れたら、一方の手で釣竿を持ち上げ、引き上げてきた針の多数付いているサビキ仕掛けの先端のオモリを他方の手で掴み、そのオモリを、釣竿を持つ手に持ち替えて、片手で竿とオモリを持つ。イケスやクーラーボックスまたはバケツ等の開放された容器の上で、図１５に示すように、他方の手で、本案の魚外し具を持って、針掛かりした魚を、釣り針９、およびハリス１０と共に魚外し具本体１内に入れる。
【００４６】
図１６（ａ）、（ｂ）、（ｃ）、（ｄ）は魚外し具本体１内に針掛かりした魚を入れ、その魚を外すまでの一連の動作を示す側面図である。
図１６（ａ）に示すように、針掛かりした魚を魚外し具本体１内に入れ、次に魚外し具本体１を持ち上げるか、または釣りの仕掛けを下げると、魚外し具本体１の前面上端縁１ｂを支点として、魚外し具本体１の外部にあるハリス１０が、下方に引かれ魚外し具本体１内の魚の掛かった釣り針９が、魚外し具本体１の前面上端縁１ｂまで引き上げられる。このとき、魚の重力とハリス１０の張力で、図１６（ｂ）に示すように、ほぼ水平方向になった釣り針９の胴９ａを支点として、釣り針９の針先が下方に向く。
【００４７】
さらに、魚外し具本体１を持ち上げるか、つりの仕掛けを下げて、ハリス１０を下方に引くと、図１６（ｃ）に示すように、前面上端縁１ｂに魚の掛かった釣り針９が掛止され、釣り針９の先端９ｂが下向きになる。針掛かりした魚は前面１ａの内壁に吊り下げられ前面１ａに内接している。図１７は、このときの斜視図である。
【００４８】
この状態から図１６（ｃ）、（ｄ）に示すように、魚外し板２を指で下方に押し下げると魚外し板軸受け２ｅの魚外し板軸孔２ｆを中心に、魚外し板前端縁２ｃが回動する。魚外し板前端縁２ｃは前面１ａの内壁に所定距離離間して近接しながら、前面１ａ内壁に沿って上方から下方に向かって回動して、前面上端縁１ｂに掛止されている針先の先端９ｂが下向きになった釣り針９に掛かって前面１ａ内壁に吊り下げられている魚を、魚外し板前端縁２ｃで上方から押し下げ強制的に針から外す。そして外された魚は、下方に置いたイケスやクーラーボックスまたはバケツ等の容器の中に落下する。ここまでは一瞬の動作である。
【００４９】
図１８は、魚が外れたときの斜視図である。魚外し板２と前面１ａ内壁とが前面上端縁１ｂに掛止した釣り針９とが接触しない程度に所定距離離間して近接していることで前面上端縁１ｂに掛止した釣り針９の針先と魚外し板前端縁２ｃが接触することがない。また釣り針９に掛かった魚を外しやすい。
【００５０】
なお、魚外し具本体１の前面１ａを曲面にしたときは、前面１ａの内壁部分が魚外し板２の作用範囲となるために、図１２（ａ）（ｂ）の平面１ｈに比べ作用範囲が長く、小さな魚でも確実に外すことができる。
【００５１】
魚を外したら、魚外し板２を押し下げている指を離せば、魚外し板２はトーションスプリング３により、開放方向に付勢される。次に、魚外し具本体１を下げるか、または仕掛けを上げると、ハリス１０の張力が緩み、釣り針９を係止していた前面上端縁１ｂより釣り針９が外れる。魚が複数尾掛かった場合は、この動作の繰り返しで、全て針から外す。
【００５２】
以上のことから、本実施例によれば、魚の掛かった釣り針９を、片手で持った魚外し具本体１の前面上端縁１ｂに係止し、魚外し板２を指で押し下げることにより、前面内壁に吊り下げている釣り針９から魚を外すことで、瞬時に魚が針から外れ、魚と針に手を触れることがなくイケスやクーラーボックスまたはバケツ等の容器内に落ちるので、怪我と手間から開放される。また、魚の臭いが手に付かない。
【００５３】
なお、強風時または、魚が暴れて釣り糸６が揺れているときには、針掛かりした魚が魚外し具本体１内に収容しにくい。
そこで図５（ｂ）のように魚外し板前端縁２ｃに魚外し板凹部２ａを設けここを頂点として前方の上方を山形に曲成してある場合、図１９に示すように、魚外し板前端縁２ｃが揺れる釣り糸６に接近するように魚外し具を斜めに持つ。
【００５４】
そして魚の掛かったハリスのすぐ上の揺れる釣り糸６を魚外し板２の山形の内壁に接触させる。これをガイドとして魚外し板凹部２ａに誘導して、魚外し板凹部２ａにて揺れる釣り糸６を保持することにより、針掛かりした魚を魚外し具本体１内に収容しやすくしてある。
【００５５】
また、魚外し具本体１の前面上端縁が、図８（ｂ）、図１０のようなＶ字形前面上端縁１ｊの場合には、図２０の斜視図に示すように、Ｖ字形前面上端縁１ｊの底部に釣り針９が掛止されることで、釣り針９が左右に摺動せず安定した針外しができる。これは、図にはないが上端縁をＵ字に形成したＵ字形前面上端縁の場合であっても効果は同じである。
【００５６】
さらに、図２０のようにＶ字形前面上端縁１ｊの魚外し具本体１に、魚外し板前端縁２ｃの左右のほぼ中央に魚外し板凹部２ａを設けてある魚外し板２を回動可能に取り付けた魚外し具において、Ｖ字形前面上端縁１ｊの底部をＶ字形前面上端縁１ｊの左右のほぼ中央に設けて、この底部に釣り針９を掛止したときには、Ｖ字形前面上端縁１ｊの左右のほぼ中央に釣り針９が位置する。
【００５７】
したがって、魚外し板凹部２ａの回動半径の同一延長線上で、魚外し板凹部２ａの回動半径の中心から外方向に向かって、魚外し板凹部２ａの回動半径より僅かに離れた位置に釣り針９がある。
【００５８】
即ち、Ｖ字形前面上端縁１ｊの底部に掛止した釣り針９は、魚外し板凹部２ａと同一平面上の僅かに外方に離れた同心円上にある。したがって釣り針９に釣り餌が付いているときに、魚外し板２を回動して魚を外すとき、魚外し板凹部２ａの空間が釣餌より大きいときには、魚外し板凹部２ａは釣餌を内抱するように釣り餌に接触せずに通過するので、釣り針９に掛かった魚は外れても釣り餌は釣り針９に残る。したがって、その餌を再利用することができれば餌の節約ができる。
【００５９】
なお、魚外し板凹部２ａは釣りの対象魚の餌の大きさに合わせた任意の大きさとすることができる。
【実施例２】
【００６０】
次に第２の実施例について説明する。
図２１は、魚外し具本体１の周壁の前面上端縁１ｂ上方を、その前面上端縁１ｂに沿って、魚の掛かった釣り針９を掛止する直線である針掛け棒８が平行に配置されるように、針掛け棒８の基端を折曲して、魚外し具本体１に回動可能に設けたものである。
魚外し具本体１および魚外し板２は、実施例１と同一のものを使用することができるので、同一部分には同一符号を付して、それらの構造の説明は省略する。
【００６１】
図２１に示すように、魚外し具本体１の前面１ａに略直交する一方の側面の内壁の任意の位置に支持片７を設けてある。図２２（ａ）に示すように、支持片７には、一端から他端へ、針掛け棒８の直径より僅かに大きな内径を有した支持片軸孔７ａを貫通してある。
【００６２】
図２１、図２２（ａ）に示すように、針掛け棒８は基端を、所定の角度に折曲し、支持片７の支持片軸孔７ａに挿通して正面視水平な直線としてあり、魚外し具本体１の前面上端縁１ｂ上方を、支持片軸孔７ａに挿通した針掛け棒８の基端を中心として回動可能となっている。
【００６３】
図２２（ａ）に示すように、針掛け棒８の断面形状は円形であるが、円形に限らず例えば三角形、四角形、多角形等、他の形状を用いることができる、針掛け棒８が回動可能に設けられるならばどのような断面形状でもよい。
また、針掛け棒８は所定の長さの線材で、材質は樹脂または金属を用いる。針掛け棒８の断面径は釣り針９の大きさにより、必要に応じた任意の断面径とすることができる。
【００６４】
図２１に示すように、支持片７を設けた魚外し具本体１の一方の側面と対向する他方の側面の上端縁の所定の位置に、針掛け棒受け部１ｇとして切り欠き凹部を設ける。針掛け棒８の先端は針掛け棒受け部１ｇに自重で当接している。針掛け棒受け部１ｇは、基端だけを支持片７で支持されている針掛け棒８の先端が、針掛け棒８に釣り針９を係止したときに遊動しないように、針掛け棒受け部１ｇにて所定の位置に保持する役割がある。
【００６５】
また、図２１および、図２３（ａ）（ｂ）に示すように、針掛け棒８を挿通した支持片７を設けた側面前方の前面上端縁１ｂの上部に支持壁１ｆを設けて、針掛け棒８が支持片軸孔７ａより抜けないように保持する役割を有している。
【００６６】
針掛け棒受け部１ｇは針掛け棒８の先端が針掛け棒受け部１ｇに当接しているとき、図２１および図２３（ａ）、（ｂ）、に示すように、針掛け棒８が魚外し具本体１の前面上端縁が直線である前面上端縁１ｂ上方を、前面上端縁１ｂに沿って、略平行な位置となるように設けられている。
【００６７】
また、このとき図２３（ａ）に示すように、針掛け棒８と前面上端縁１ｂとの間には、針掛け棒８に掛かった釣り針９の針先の先端９ｂが、下方に向いたとき針先の先端９ｂと前面上端縁１ｂとが、接触しない程度の、ほぼ等間隔の所定の隙間を設けてある。
【００６８】
なお、支持片７と針掛け棒受け部１ｇとを、それぞれ逆の位置に設けて、針掛け棒を反対の位置に回動可能に取り付けてもよい。当然、支持壁１ｆも前面上端縁１ｂの相対する側へ設ける。
【００６９】
また、図２２（ｂ）、図２４に示すように、針掛け棒は正面視Ｖ字形のＶ字形針掛け棒８ａとすることもできる。図８（ｂ）のＶ字形前面上端縁１ｊにＶ字形針掛け棒８ａを設ける場合には、上端縁が直線である前面上端縁１ｂ上方に直線である針掛け棒８を設けたときと同様に、Ｖ字形針掛け棒８ａに掛かった釣り針９の針先の先端９ｂが、下方に向いたとき針先の先端９ｂとＶ字形前面上端縁１ｊとが接触しない程度の等間隔の所定の間隔を設けてある。図にはないがＵ字形前面上端縁の場合には針掛け棒をＵ字形にすることもできる。
【００７０】
さらに図２５のように直線である前面上端縁１ｂでも、Ｖ字形針掛け棒８ａまたは、図にはないがＵ字形針掛け棒にすることもできる。この場合は、前面上端縁１ｂとＶ字形針掛け棒８ａの底部、また、図にはないがＵ字形針掛け棒の底部との間に、針掛け棒の底部に釣り針９を掛けて釣り針９の針先の先端９ｂが下方に向いたとき針先の先端９ｂと、前面上端縁１ｂとが、当たらない程度の所定の隙間を設ける。
【００７１】
また、Ｖ字形針掛け棒８ａを、反対側面に取り付ける場合は、Ｖ字形針掛け棒８ａの基端を折曲して支持片軸孔７ａに挿通してあるが、その折曲部分の角度を１８０度、変更する必要がある。Ｕ字形針掛け棒でも同様である。
【００７２】
なお、針掛け棒８または、針掛け棒８ａの取り付け構造は、前記実施例で説明したものに限られるものではない。要するに、針掛け棒８または８ａが回動可能であって、魚外し具本体１の前面上端縁１ｂ上方に、前面上端縁１ｂとの間を所定距離で、ほぼ等間隔となるように、また、前面上端縁１ｂが直線で針掛け棒がＶ字形、または、Ｕ字形の場合においても前面上端縁１ｂとＶ字形針掛け棒８ａまたはＵ字形の底部との間に、所定の隙間を保持できるように位置される構造であればいかなるものも採用することができる。
【００７３】
また、図２６に示すように針掛け棒８に針掛け棒スプリング１３を外装して、針掛け棒８をスプリング１３の付勢力により、針掛け棒受け部１ｇに当接するようにすることもできる。これにより針掛け棒８は魚外し具が傾いている場合でも、針掛け棒受け部１ｇに当接するようになる。針掛け棒がＶ字形、Ｕ字形でもスプリングを設けることができるのはもちろんである。
【００７４】
スプリングの形状および取り付けは図２６以外でもよく、釣り針９をかけるのに妨げにならない位置で、針掛け棒８が魚外し具本体１の針掛け棒受け部１ｇに当接するようになっていればよい。スプリングの材質は樹脂、金属、ゴム等の弾性体を用いる。
【００７５】
魚外し具本体１に針掛け棒８または、針掛け棒８ａを設けたときは、図２１に示すように魚外し板前端縁２ｃの一方の側端には、魚外し板２を下方に回動したとき、魚外し板２と支持片７および、支持片７方向に折曲した針掛け棒の基端とが、接触しないように、切り欠き部２ｇを設けてある。針掛け棒を反対側に取り付けた場合には切り欠き部２ｇも当然、支持片７を設けた側に設ける。
【００７６】
魚外し具本体１に、釣り針９を係止する針掛け棒８を設けた第２の実施例の魚外し具を使用するときのサビキ釣りについての使用方法を説明する。実施例１の使用方法とほぼ同じではあるので同一部分の説明は一部省略する。
【００７７】
図２７（ａ）、（ｂ）、（ｃ）、（ｄ）は魚外し具本体１内に針掛かりした魚を入れて魚を外すまでの一連の動作を示す側面図である。
図２７（ａ）に示すように、針掛かりした魚を魚外し具本体１内に入れ、次に魚外し具本体１を持ち上げるか、または釣りの仕掛けを下げると、魚外し具本体１の針掛け棒８を支点として、魚外し具本体１の外部にあるハリス１０が下方に引かれ魚外し具本体１内の魚の掛かった釣り針９が、魚外し具本体１の針掛け棒８まで引き上げられる。このとき、魚の重力とハリス１０の張力で、図２７（ｂ）に示すように、ほぼ水平方向になった釣り針９の胴９ａを支点として、釣り針９の針先が下方に向く。
【００７８】
さらに、魚外し具本体１を持ち上げるか、つりの仕掛けを下げて、ハリス１０を下方に引くと、図２７（ｃ）に示すように、針掛け棒８に魚の掛かった釣り針９が係止され、針先の先端９ｂが下向きになる。針に掛かった魚は前面１ａの内壁に吊り下げられ前面１ａに内接している、図２８は、このときの斜視図である。
【００７９】
この状態から、図２７（ｃ）、（ｄ）に示すように、魚外し板２を指で押し下げ、下方に回動させると、魚外し板２の魚外し板前端縁２ｃが、前面１ａの内壁に所定距離離間して近接しながら、前面１ａ内壁に沿って上方から下方に向かって回動する。針掛け棒８に掛止されている針先の先端９ｂが下向きになった釣り針９に掛かって前面１ａ内壁に吊り下げられている魚を、魚外し板前端縁２ｃで押し下げ強制的に針から外す。
魚を外した後、魚外し具本体１を下げるか、または仕掛けを上げると、ハリス１０の張力が緩み、釣り針９が針掛け棒８より外れる。
【００８０】
また、釣り針９が針掛け棒８より外れない場合は、魚外し具本体１をさらに下げるか、釣の仕掛けを上げると、図２９に示すように、回動可能に取り付けられた、針掛け棒８の先端が釣り針９により、上方に引き上げられ、釣り針９は針掛け棒８の先端より無理なく抜ける。釣り針９が針掛け棒８より抜けると、針掛け棒８の先端は、自重で針掛け棒受け部１ｇに当接する。ここまでは一瞬の動作である。魚が複数尾掛かった場合は、この動作の繰り返しで、全て針から外す。
【００８１】
以上のことから、本実施例によれば魚外し具本体１に針掛け棒８を設けたことにより、図２３（ｂ）に示すように、釣り針９が水平になり、針先が下方に向いた状態でハリスが引かれても、釣り針９は針掛け棒８の位置まで、引き上げられているので針先の先端９ｂが前面１ａの内壁に突き当たることがなく、そのため針先の先端９ｂが損傷しない。
【００８２】
また、その状態からさらにハリスが引かれたとき、針掛け棒８に針が掛かりやすく、魚外し具本体１から魚の掛かった釣り針９がすり抜けることを防止できるので素早い操作ができる。
さらに、針掛け棒８を回動可能にしたことにより、針掛け棒８に係止された釣り針９を簡単に外すことができる。
【００８３】
また、針掛け棒がＶ字形またはＵ字形の場合Ｖ字形、Ｕ字形の底部に釣り針９が掛かることにより、釣り針９が左右に摺動せずに安定した針外しができる。
【００８４】
なお、Ｖ字形針掛け棒８ａの底部をＶ字形針掛け棒８ａの左右中央に設けてこの底部に釣り針９を掛止したときにはＶ字形針掛け棒８ａの左右中央に釣り針９が位置する。したがって、実施例１のＶ字形前面上端縁１ｊを設けた魚外し具と同様に、魚外し板前端縁２ｃの中央に凹部２ａを設けてある場合には釣餌が針に残るので釣り餌を再利用することができれば餌の節約ができる。
【００８５】
上記実施例１及び実施例２の使用方法では、魚外し具は片手に持って使用したが、魚外し具をバケツ等の容器の上方に固定して使用してもよく、固定方法は特に限定しない。
【実施例３】
【００８６】
次に第３の実施例について説明する。
魚外し具本体１、魚外し板２、および針掛け棒は実施例１、実施例2と同一のものを使用するので同一部分には同一符号を付して、それらの構造の説明は省略する。
図１の前面１ａの前面下端縁１ｋ下方に、図３０に示すように、前面下端縁１ｋに連接して前面１ａと一体となるように前面下方に魚外し具前面下部１ｎを設け、左右側面および前後面の下端縁の高さを同一に揃え、同一に揃えた該下端縁に沿って魚外し具底面１ｏを設ける。これにより魚外し具本体１は、上方が開放された有底の容器形状となる。
【００８７】
実施例２の針掛け棒を設けた魚外し具本体１においても、魚外し具前面下部１ｎおよび、魚外し具底面１ｏを設けることができるのは勿論である。
図３１は、実施例２の図２４のＶ字形前面上端縁１ｊにＶ字形針掛け棒８ａ設けた魚外し具本体１の前面下端縁１ｋに連接して前面１ａと一体となるように前面下方に魚外し具前面下部１ｎを設ける。左右側面および前後面の下端縁の高さを同一に揃え前記下端縁に沿って魚外し具底面１ｏを設ける。これにより魚外し具本体１は、上方が開放された有底の容器形状となる。
また、他の形状の魚外し具本体１においても有底の容器形状とできるのは勿論である。
【００８８】
つぎに、第３の実施例の容器形状の魚外し具の使用方法は、基本的には実施例１、および、実施例２と同様であるが、前記実施例１，前記実施例２のように釣り針９から外れた魚を一尾ずつ下方に置いたイケスやクーラーボックスまたはバケツ等の容器の中に落とすのではなく、一度に仕掛けに掛かった全ての魚を順に釣り針９から外し、容器形状になった魚外し具本体１の中にそのまま収容して、魚を釣り針９から全部外したらイケスやクーラーボックスまたはバケツ等の容器の中に、魚外し具本体１からまとめて投入する。
【００８９】
以上のことから本実施例によれば、魚外し具本体１を容器形状にしたことで、釣り針９から外した魚が魚外し具本体１の内部に収容されるので、魚外し具をイケスやクーラーボックスまたはバケツ等の容器の上方で使用しなくてもよく、容器の中に一尾ずつ落とす手間が省ける。また、場所を移動しながらの探り釣でも魚外し具本体１に魚を収容したまま移動できるので使用範囲が広がり使用しやすくなる。
【００９０】
魚外し具本体１を容器形状にしたときは魚外し具本体１の周壁の内壁に、部分図３２のように筋面１２を設けるとよい。図３２では周壁内壁の下半分だけ筋面１２を設けてあるが、魚外し具底面１ｏも含めて魚外し具本体１の内壁全面に設けてもよい。上記、筋面１２は筋面とは限らず、例えば三角形、半円形、等の凹凸の突起面とすることもできる。
【００９１】
魚外し具本体１内壁に筋面１２、または突起面、等を設けることにより、魚外し具本体１内に収容した魚の付着を防止し、イケスやクーラーボックスまたはバケツ等の容器に投入し易くした。
【００９２】
以上本発明の実施の形態を説明したが、本発明の範囲はこれらに限定されるものではなく、請求項に記載された範囲内において種々変更を加え得ることは勿論である。
【産業上の利用可能性】
【００９３】
本発明の釣り針からの魚外し具は、魚釣りをするときに魚に手を触れずに魚を外す魚外し具として利用できる。
【符号の説明】
【００９４】
１    魚外し具本体
１ａ  前面
１ｂ  前面上端縁
１ｃ  魚外し具後面
１ｄ  魚外し具後面上端縁
１ｅ  魚外し具軸孔
１ｆ  支持壁
１ｇ  針掛け棒受け部
１ｈ  平面
１ｉ  平面上端縁
１ｊ  Ｖ字形前面上端縁
１ｋ  前面下端縁
１ｌ  連続Ｖ字形前面上端縁
１ｍ  連続Ｕ字形前面上端縁
１ｎ  魚外し具前面下部
１ｏ  魚外し具底面
１ｐ  水平Ｖ字形前面
１ｑ  水平Ｖ字形前面上端縁
２    魚外し板
２ａ  魚外し板凹部
２ｂ  スプリング係止突起
２ｃ  魚外し板前端縁
２ｄ  魚外し板後端縁
２ｅ  魚外し板軸受け
２ｆ  魚外し板軸孔
２ｇ  切り欠き部
２ｈ  Ｖ字形魚外し板
３  トーションスプリング
４  蝶番軸
５  滑り止め
６  釣り糸
７  支持片
７ａ  支持片軸孔
８  針掛け棒
８ａ  Ｖ字形針掛け棒
９  釣り針
９ａ  胴
９ｂ  先端
１０  ハリス
１１  取っ手  
１２  筋面
１３  針掛け棒スプリング
【図１】
0005254837.tif 000002
【図２】
0005254837.tif 000003
【図３】
0005254837.tif 000004
【図４】
0005254837.tif 000005
【図５】
0005254837.tif 000006
【図６】
0005254837.tif 000007
【図７】
0005254837.tif 000008
【図８】
0005254837.tif 000009
【図９】
0005254837.tif 000010
【図１０】
0005254837.tif 000011
【図１１】
0005254837.tif 000012
【図１２】
0005254837.tif 000013
【図１３】
0005254837.tif 000014
【図１４】
0005254837.tif 000015
【図１５】
0005254837.tif 000016
【図１６】
0005254837.tif 000017
【図１７】
0005254837.tif 000018
【図１８】
0005254837.tif 000019
【図１９】
0005254837.tif 000020
【図２０】
0005254837.tif 000021
【図２１】
0005254837.tif 000022
【図２２】
0005254837.tif 000023
【図２３】
0005254837.tif 000024
【図２４】
0005254837.tif 000025
【図２５】
0005254837.tif 000026
【図２６】
0005254837.tif 000027
【図２７】
0005254837.tif 000028
【図２８】
0005254837.tif 000029
【図２９】
0005254837.tif 000030
【図３０】
0005254837.tif 000031
【図３１】
0005254837.tif 000032
【図３２】
0005254837.tif 000033